(57)【要約】【目的】  フックにマグネットを備えるものは、突当て測定の際、フックに進退機構があるためにテープをフック方向に押しながら測定しなければ測定誤差が生じる可能性がある。従って、マグネットによってテープ先端を金属部材に磁着させて行う突き当て測定においても、測定誤差の発生を防止できる巻尺を提供することを目的とする。【解決手段】  フック２のアーム部２ｂに係着部３ａを形成した係着部材３を設けると共に、テープ１にピン４を立設させ、突き当て測定を行う際、フック２をテープ１の巻き取り方向に移動させて、フック２に有する着部３ａとテープ１立設するピン４をロック状態で係着（嵌合）できるようにする。これにより、フック２の勝手な動きが防止され、安定且つ正確な測定を行うことができる。【選択図】  図１
0003115155.tif 000002
【実用新案登録請求の範囲】
【請求項１】
テープ先端のフック部材がテープの進退方向に移動して通常測定と共に突き当て測定ができる巻尺において、フック部材に一対からなる係着手段の一方が設けられ、テープに係着手段の他方が設けられており、それぞれの係着手段を係着することによってフック部材が突き当て測定の位置で固定されるようになっていることを特徴とする巻尺
【請求項２】
フック部材が磁着可能な金属に磁着できるようになっていることを特徴とする請求項１の巻尺
【請求項３】
係着手段の係着および／または解除が人の力によって強制的に行われるようになっていることを特徴とする請求項１の巻尺
【請求項４】
フック部材が突き当て測定の位置に移動した際、係着手段のそれぞれがロック状態で係着するようになっていることを特徴とする請求項１の巻尺
【請求項５】
係着手段がピンとそのピンの周面に係着できる係着部材からなっており、その係着部材の係着部は、ピン最小直径より狭い入口とその入口に続くピン最小直径と同等あるいはそれ以上の幅を有する収容空間を有し、且つその収容空間の奥行きは少なくともピンの最小半径以上の長さを有することを特徴とする請求項１の巻尺
【請求項６】
係着部の収容空間に続く入口が扇状に開いていることを特徴とする請求項５の巻尺
【請求項７】
ピンがテープ面に立設され且つ係着部材がフック部材に取り付けられ、あるいは、ピンがフック部材に立設され且つ係着部材がテープ面に取り付けられ、ピンと係着部材のそれぞれが係着可能な位置でテープ面およびフック部材の任意の位置にそれぞれ配置されていることを特徴とする請求項５の巻尺
【請求項８】
フック部材に配設される係着部材がフック部材の後端部に設けられ、ピンがその後端部の後方のテープ面に立設されていることを特徴とする請求項７の巻尺
【請求項９】
ピンの任意の部位に膨状あるいはピンの遠心方向に突出する鍔状の突出部が形成されていることを特徴とする請求項５の巻尺
【請求項１０】
ピンの少なくとも係着部材との係着部位および／または係着部材の少なくともピンとの係着部位が弾発性を有していることを特徴とする請求項５の巻尺
【請求項１１】
フック部材が巻尺のケースのテープ出入口に係止されることにより、ロック状態で係着されているピンと係着部材のロックが自動的に解除されることを特徴とする請求項５の巻尺
【請求項１２】
係着手段が鍵手状部材とその鍵手状部材の少なくとも鍵手部が係着できる係着部材からなっていることを特徴とする請求項１の巻尺
【請求項１３】
鍵手状部材がフック部材に設けられ且つ係着部材がテープ面に設けられ、あるいは、鍵手状部材がテープ面に設けられ且つ係着部材がフック部材に設けられ、鍵手状部材と係着部材がそれぞれが係着可能な位置でテープ面およびフック部材の任意の位置にそれぞれ配置されていることを特徴とする請求項１２の巻尺
【請求項１４】
係着部材がフック部材またはテープ面に形成された通孔であることを特徴とする請求項１３の巻尺
【請求項１５】
通孔の一部または全部が弾発性を有していることを特徴とする請求項１４の巻尺
【請求項１６】
鍵手部の任意の部位に膨状あるいは鍵手部の遠心方向に突出する鍔状の突出部が形成されていることを特徴とする請求項１２の巻尺
【請求項１７】
鍵手状部材の一部または全部が弾発性を有していることを特徴とする請求項１２の巻尺
【請求項１８】
鍵手状部材の鍵手部と係着部材の係着部とを係着する際、それらの一方および／または他方を強制的に係着位置に誘導して係着するようになっていることを特徴とする請求項１２の巻尺
【考案の詳細な説明】
【技術分野】
【０００１】
本考案は、テープ先端のフック部材を突き当て測定の際に固定できるようにした巻尺に関するものである。
【背景技術】
【０００２】
従来、テープの先端に備えるフックは、テープの進退方向に移動できるようになっており、フックを引っ掛けて行う通常測定とフックを突き当てて行う突き当て測定の際の測定誤差をキャンセルできるようになっている。
そして、そのフックにマグネットを設けて、マグネットの磁力によってフックを所定の金属に磁着できるようにした巻尺もある。
【考案の開示】
【考案が解決しようとする課題】
【０００３】
このフックにマグネットを設けたことによる最大のメリットは、マグネットの磁力によってフックを所定の金属に磁着できることであって、これにより、テープ先端をより安定した状態で披測定金属部材に係着できるのである。
しかしながら、上述のようなマグネットを設けたフックは、測定時の誤差をキャンセルできるようになっているだけであって、フックを金属に磁着させて行う突き当て測定の際は、テープをフック方向に押しながら測定しなければならないのである。
【０００４】
すなわち、フックが進退方向に移動できるようになっているので、測定の際にテープが巻き取り方向に引っ張られると、フックの移動分の誤差を生じてしまうからである。
突き当て測定を行う距離が極めて短い場合は、目視でテープが巻き取り方向に引っ張られていないかを確認できるが、測定を行う距離が長い場合は、目視ではフック部の状態を確認することは不可能である。また、確認することが不可能であるためにテープは強く押されることになり、このため直線で張られているテープに歪みが生じて、今度はこの歪分の誤差を生じてしまうのである。
【０００５】
従って、本考案は上述した問題点に鑑みてなされたもので、マグネットによってテープ先端を金属部材に磁着させて行う突き当て測定においても、測定誤差の発生を防止できる巻尺を提供することを目的とするものである。
【課題を解決するための手段】
【０００６】
本考案の要旨とするところは、テープ先端のフック部材がテープの進退方向に移動して通常測定と共に突き当て測定ができる巻尺において、フック部材に一対からなる係着手段の一方が設けられ、テープに係着手段の他方が設けられており、それぞれの係着手段を係着することによってフック部材が突き当て測定の位置で固定されるようになっていることを特徴とする巻尺である。
【０００７】
本考案の巻尺を詳しく説明すると、テープは測定用の任意の目盛が表示されており、テープ先端には測定物の角部に引っ掛けるための係着部が形成されたフックが設けられおり、その係着部はテープ面と直角下方向に突出している。また、フックは係着部の前側（前面）を任意の部材に押し当てて行う突き当て測定の際、テープの０点調節によって係着部の厚みだけ後退できるようになっている。さらには、フックにフェライト／希土類／ネオジウム等の任意のマグネットが設けられ、そのマグネットの磁力によってフックが所定の金属に磁着できるようになっているものもある。
そして、テープの形態は、直立できるように短手方向に湾曲するものや平坦なものがある。
【０００８】
テープは巻尺の本体となる樹脂や金属等の任意の素材からなるケースに収納されており、その収納形態は、ケース内に回転可能に支持された回転ドラムの周囲に巻回されている。また、回転ドラムの内部にはバネが設けられており、回転ドラムはそのバネによってテープを常に回転ドラムの周囲に巻き取る方向に付勢されている。そのバネはテープのケース内からの引き出しによる回転ドラムの回転によってバネに付勢力が蓄積される。
そして、テープ先端のフックすなわちフックの係着部がケースのテープ出入口に係止されることによってテープのケース内への引き込まれが防止される。テープは、テープ出入口に係止される際、そのテープ出入口にテープの進退方向に動作してフックの衝突エネルギーを緩和（吸収作用も含む）する衝撃緩衝装置が設けられているものもある。その衝撃緩衝装置の形態もケースの形態やテープ巻き取りスピード等によって選定され配設される。
【０００９】
一対の係着手段とは、それぞれが係わることによって接続や連結されるように機械的な構成あるいは形状になっているものである。その係着は、必要に応じて手動により係着できるようにしたり、また、係着された際にロック状態となるようにしてもよい。係着手段の素材も特に限定するものではなく、樹脂や金属等の好適な素材から形成すればよい。また、係着手段の係着またその解除は、人の力によって強制的に行うことができる程度の係着状態とするのがよい。その係着手段の一方がフック部材に設けられ、また、他方がテープに設けられる。
さらには、フック部材が巻尺のケースのテープ出入口に係止された際、係着手段の形態によってそれぞれの係着手段のロックが自動的に解除されるようにしてもよい。
【００１０】
フック部材とは、樹脂や金属等の任意の素材を一体的に成型したものと共に、そのフック部材に別部材が付加されているものも含む。また、フック部材の形態はかぎ手状（Ｌ字状）になっておりそれがテープの表面上に設けられている。そのフック部材のテープ先端方向の端部から披測定物に引っ掛けるためのかぎ手すなわち係着部がテープ面と直角下方向に突出している。また、テープ先端方向の端部からテープ面と平行に且つテープの巻き取り方向にアームが設けられて、そのアームにテープの長手方向に長円状の通孔が形成されている。その通孔にテープに立設され且つフック部材を脱不能に構成されたピンが遊嵌されている。
【００１１】
そして、係着手段の形態も特に限定するものではないが、具体的なものとしては、係着手段をピンとそのピンの周面に係着できる係着部材から構成する。
ピンも係着部材の形態に応じて任意の形状にすればよく、例えば、ピンの任意の部位に膨状あるいはピンの遠心方向に突出する鍔状の突出部が形成し、より係着状態を確実に維持できるようにしてもよい。すなわち、ピンの先端に膨状部や鍔状部を形成し、その下方にフック部材に設けられる係着部材の係着部が位置するようにしてもよい。ピンも金属等の好適な素材から形成すればよい。
また、ピンの少なくとも係着部材との係着部位を弾発性を有するようにしてもよい。この弾発性とは、変形してもまた元の状態に復帰できることを指し、任意の素材を用いても、また、部材の復帰可能な変形を用いてもよい。
【００１２】
係着部材は、脱不能にピンと係着できればその形態等を特に限定するものではなく好適な形態にすればよい。
その具体的な構造としては、係着部を、ピン最小直径より狭い入口とその入口に続くピン最小直径と同等あるいはそれ以上の幅を有する収容空間を有し、且つその収容空間の奥行きは少なくともピンの最小半径以上の長さを有するようにするのがよい。また、係着部の収容空間に続く入口を扇状に開かせてもよい。
【００１３】
前述のピン最小直径より狭い入口の最小直径とは、ピンの断面形状が正円以外の時、例えば、断面形状が楕円のピンである時にその直径が短い方の直径寸法を指すものである。すなわち、係着部に入る入口をその直径寸法より狭くしているものである。
また、収容空間とは、ピンを脱不能に収容できるようになっている空間（スペース）であり、その収容空間は、ピン最小直径と同等あるいはそれ以上の幅を有するのがよい。すなわち、ピンの任意の形状（ピンが断面正円あるいは楕円等の正円以外の形状）の際、ピンの全部またはピンの少なくとも最小直径以上を収容
できるようにする。
【００１４】
ピンと係着部材のフック部材およびテープへの具体的な配設としては、ピンをテープ面に立設させ、係着部材をフック部材に取り付ける。ピンと係着部材はそれぞれが係着可能な位置に配設するが、その望まして一例としては、係着部材をフック部材のアームの後端部すなわちアームのテープの巻き取り方向の端部に配設し、ピンをその後方すなわちテープの巻き取り方向のテープ面に立設する。
係着部材のフック部材への設置は、オンサートまたインサートあるいは任意の固定手段、例えば、ネジ／溶着／接着によって設置すればよい。勿論、当初からの一体成型によるものでもよい。また、ピンはテープに立設するが、その立設方法等も特に限定するものではなく好適な方法によって行えばよい。ピンが立設されるテープ面は、勿論、係着部材がフック部材に配設される側の面となる。そして、ピンをフック部材に立設し、係着部材をテープ面に取り付けてもよい。
【００１５】
また、他の形態としては、係着手段を鍵手状部材とその鍵手状部材の少なくとも鍵手部が係着できる係着部材から構成するのがよい。
鍵手状部材とは、部材の任意の部位あるいは端部に折曲形状部が設けられている部材であり、また、その折曲形状部の先端等の一部または全部が係着部材の係着部に係着できるようになっている。その折曲形状部の形状と係着部材の係着部の形状は係着上の対となっており、係着上の対とは、形状や形態に関連性を有するものに加え、形状や形態に関連性がないものの任意の操作によって係着できるものも含むものである。
【００１６】
そして、係着部の形状によっては、鍵手部の任意の部位に膨状あるいは鍵手部の遠心方向に突出する鍔状の突出部を形成し、より係着状態を確実に維持できるようにしてもよい。
鍵手状部材も金属や樹脂またゴム系等の好適な素材から形成すればよい。金属／樹脂／ゴム系の素材を適当に組み合わせて形成してもよい。例えば、鍵手部を柔軟性を有する樹脂やゴム系の素材で形成する。
【００１７】
係着部材とは、鍵手状部材の少なくとも鍵手部と係着できるようになっている部材である。係着部材は、脱不能に鍵手状部材と係着できればその形態等を特に限定するものではなく好適な形態にすればよいが、鍵手部との係着状態が強制的に解除されるまではその係着状態が維持されるようにするのがよい。
係着部材の具体的な形態としては、突条／溝／凹状／段状としてもよく、鍵手状部材の鍵手部がそれらに係着（引っ掛かる）するようにしてもよい。しかしながらこの場合は、鍵手部が外れないように鍵手状部材の動きを制限する任意の動作制限手段を設ける。また、鍵手状部材を柔軟性を有する例えばゴム系の素材から形成し、弾発状態で係着部材に引っ掛けるようにしてもよい。
【００１８】
鍵手状部材と係着部材の配設形態としては、鍵手状部材をフック部材の後端に設けると共に係着部材をテープ面に設けてもよい。また、鍵手状部材をテープ面に設けると共に係着部材をフック部材の後端に設けてもよい。その鍵手状部材と係着部材は、フック部材またテープ面のそれぞれが係着可能な位置に設ける。
また、係着部材を鍵手状部材の鍵手部が係着（嵌まる）可能な通孔としてもよく、その場合、通孔をフック部材またテープ面に配設（形成）してもよい。その通孔は、単にテープ面に開けた孔でもよいが、望ましくは、その孔にハトメ等の補強部材を付加するのがよい。また、ゴム等の柔軟素材からなるグロメットを嵌めてもよい。
【００１９】
そして、鍵手状部材の一部または全部を、弾発性を有する例えば樹脂素材やゴム等の柔軟素材を用いて形成してもよい。また、係着部材をテープ面に形成した通孔とした際も、その通孔の一部または全部を、弾発性を有する例えば樹脂素材やゴム等の柔軟素材を用いて形成してもよい。この弾発性とは、変形してもまた元の状態に復帰できることを指し、任意の素材を用いても、また、部材の復帰可能な変形を用いてもよい。
また、鍵手状部材の鍵手部と係着部材の係着部とを係着する際に、それらの一方および／または他方を強制的に係着位置に誘導して係着するようにしてもよい。すなわち、フック部材を突き当て測定の位置に移動した場合でも、鍵手状部材の鍵手部が係着部材の係着部すなわち通孔の位置と合致しなく、鍵手部が通孔からずれたテープ面上に位置するものである。これにより、不用意な鍵手部と通孔との接触あるいは係着が防止される。
【００２０】
従って、本考案の巻尺は以上のように構成されているので、フック部材に設けられた係着部材とテープ面に立設されたピンとからなるものは、フック部材を突き当て測定の位置で固定させたい場合、フック部材をテープの巻き取り方向に移動させると共に、フック部材に設けられた係着部材の係合部をテープ面に立設するピンに力を以って係着すなわち嵌める。これによってフック部材は突き当て測定の位置で固定する。
そして、フック部材にマグネットが設けられ、そのマグネットによってテープ先端すなわちフック部材の前面（テープの引き出し方向に位置する面）を金属部材に磁着させて行う突き当て測定においても、フック部材の勝手な動きが防止される。
【００２１】
また、フック部材に設けられた鍵手状部材とテープ面に形成された通孔とからなるものは、フック部材を突き当て測定の位置で固定させたい場合、フック部材に設けられた鍵手状部材の鍵手部をテープ面に形成された通孔に係着すなわち嵌める。これによってフック部材は突き当て測定の位置で固定する。
そして、フック部材にマグネットが設けられ、そのマグネットによってテープ先端すなわちフック部材の前面（テープの引き出し方向に位置する面）を金属部材に磁着させて行う突き当て測定においても、フック部材の勝手な動きが防止される。
【考案の効果】
【００２２】
本考案の巻尺は以上のように構成されているので、フック部材を突き当て測定の位置で固定させたい場合は、フック部材およびテープに設けられているそれぞれの係着部材を係着させることによって簡単にフック部材を突き当て測定の位置で固定でき、また、その解除も簡単に行うことができる。すなわち、フック部材の固定／解除を、工具等を使用することなく簡単にできるので、フック部材の固定／解除による測定作業の中断がない。
これにより、フックをマグネットによって磁着させて行う突き当て測定の際の測定誤差発生の防止に非常に役立つものである。
また、フックにマグネットを持たないものにおいても、突き当て測定の際の測定誤差発生の防止に非常に役立つものである。
【考案を実施するための最良の形態】
【００２３】
本考案の巻尺を以下図面に従って説明すると、図１は、本考案に係わる巻尺のテープ先端部分の上面拡大図であり、本図は、フック２を引っ掛けて行う通常測定の状態である。１は巻尺のテープ、２は測定の際にテープ１先端を固定するためのフック、２ａは部材の角部に引っ掛けるための係着部、２ｂはアーム部、２ｃはアーム部２ｂの表裏を貫通する通孔、２ｄはテープ１に固定され且つフック２の通孔２ｃに遊嵌状態で通過するリベットである。３はフック２の後端に設けられた係着部材、３ａは係着部、４は係着部３ａと係着（係合）するピンである。
図２は、図１のテープ先端部分の断面拡大図であり、フック２の係着部２ａはテープ１の先端より前方に位置する。
【００２４】
図３は、図１のフック固定時のテープ先端部分の上面拡大図であり、本図は、図１／図２のフック２を引っ掛けて行う通常測定の状態から、フック２を矢印方向に移動させ、フック２の後端に設けられた係着部材３の係着部３ａをピン４に係着（嵌合）させた状態である。すなわち、フック２を突き当て測定の位置に固定した状態である。
【００２５】
図４は、他の形態のフック系着構造のテープ先端部分の上面拡大図であり、本図は、フック２を引っ掛けて行う通常測定の状態である。１は巻尺のテープ、２は測定の際にテープ１先端を固定するためのフック、２ａは部材の角部に引っ掛けるための係着部、２ｂはアーム部、２ｃはアーム部２ｂの表裏を貫通する通孔、２ｄはテープ１に固定され且つフック２の通孔２ｃに遊嵌状態で通過するリベットである。５はフック２の後部に設けられたピン、６はテープ１に固定されている係着部材、６ａはピン５と係着（係合）する係着部、６ｂは係着部材６をテープ１に固定しているリベットである。
図５は、図４のテープ先端部分の断面拡大図であり、フック２の係着部２ａはテープ１の先端より前方に位置する。
【００２６】
図６は、図４のフック固定時のテープ先端部分の上面拡大図であり、本図は、図４／図５のフック２を引っ掛けて行う通常測定の状態から、フック２を矢印方向に移動させ、フック２の後部に設けられたピン５を係着部材６の係着部６ａに係着（嵌合）させた状態である。すなわち、フック２を突き当て測定の位置に固定した状態である。
【００２７】
図７は、他の形態のフック系着構造のテープ先端部分の上面拡大図であり、本図は、フック２を引っ掛けて行う通常測定の状態である。１は巻尺のテープ、２は測定の際にテープ１先端を固定するためのフック、２ａは部材の角部に引っ掛けるための係着部、２ｂはアーム部、２ｃはアーム部２ｂの表裏を貫通する通孔、２ｄはテープ１に固定され且つフック２の通孔２ｃに遊嵌状態で通過するリベットである。２ｅはフック２の後端に設けられた係着端部、６はテープ１に固定されている係着部材、６ａは係着端部２ｅと係着（係合）する係着部、６ｂは係着部材６をテープ１に固定しているリベットである。
図８は、図７のテープ先端部分の断面拡大図であり、フック２の係着部２ａはテープ１の先端より前方に位置する。
【００２８】
図９は、図７のフック固定時のテープ先端部分の上面拡大図であり、本図は、図７／図８のフック２を引っ掛けて行う通常測定の状態から、フック２を矢印方向に移動させ、フック２の後端に設けられた係着端部２ｅを係着部材６の係着部６ａに係着（嵌合）させた状態である。すなわち、フック２を突き当て測定の位置に固定した状態である。
【００２９】
図１０および図１１は、他の形態のピンを示す拡大図であり、ピン４と係着した係着部材３のロック状態を確実に維持できるようにする形態の一例である。図１０は、ピン４の頭部に鍔状体を設けて鍔状頭部４ａとしたものである。図１１は、ピン４の頭部に膨状体を設けて膨状頭部４ｂとしたものである。いずれのものも、ピン４に係着（係合）した係着部材３がピン４の上方からの外れを防止したものである。
【００３０】
図１２は、マグネットを設けたフックのテープ先端部分の断面拡大図であり、マグネット７をフック２の係着部２ａに配設したものである。
図１３は、フックの正面図であり、本図は、フック２の係着部２ａに断面円形のマグネット７ａを２個配設したものを示している。
【００３１】
図１４は、図１２のフック固定時のテープ先端部分の断面拡大図であり、（ａ）図は、フック２を矢印方向に移動させて、フック２の後端に設けられた係着部材３の係着部３ａをピン４に係着（嵌合）させた状態である。また、７はフック２の係着部２ａに設けられたマグネットである。（ｂ）図は、マグネット７の磁力によってフック２の係着部２ａが金属部材８に磁着した状態を示す。
【００３２】
図１５は、他の形態のマグネットを設けたフックを示す正面図であり、（ａ）図は、フック２の係着部２ａの中央に断面四角形のマグネット７ｂを１個配設したものを示す。（ｂ）図は、フック２の係着部２ａの両側に断面四角形のマグネット７ｂを２個横方向に突出させて配設したものを示す。
【００３３】
図１６は、フックのリセット構造の一例を示すテープ先端部分の上面拡大図である。そのリセット構造としては、フック２のアーム部２ｂ後部の係着部材３との隣接部に、アーム部２ｂの幅方向に突出する接触端部２ｆが形成され、また、その接触端部２ｆに接触するリセット部材９と支持部材９ａが、巻尺のケース内壁に配設される。
【００３４】
図１７は、フックのリセット動作を示す図であり、本図は、フックのリセット動作だけを説明しているだけであり、フック２は、巻尺ケースのテープ出入口（図示なし）に有する衝撃緩衝装置（図示なし）によって巻き取り終了の際のフック２の衝突エネルギーが緩和（吸収作用も含む）される。（ａ）図は、矢印方向にテープ１が巻き取られている状態である。フック２は、その係着部材３の係着部３ａとピン４が係着状態にある。（ｂ）図は、矢印方向に巻き取られたテープ１のフック２に有する接触端部２ｆがリセット部材９に衝突し、フック２に有する係着部材３の係着部３ａがピン４から離脱始めている状態を示す。また、リセット部材９はテープ１の巻き取り方向（矢印方向）に変形し、衝突エネルギーを緩和している状態である。この時、テープ出入口（図示なし）に有する衝撃緩衝装置（図示なし）によってフック２の衝突エネルギーも緩和されている。（ｃ）図は、フック２がテープ出入口（図示なし）に係止された状態を示し、フック２に有する係着部材３の係着部３ａがピン４から完全に離脱された状態を示す。リセット部材９も元の状態に復帰する。
【００３５】
図１８は、他の形態のフック系着構造のテープ先端部分の上面拡大図であり、本図は、フック２を引っ掛けて行う通常測定の状態である。１は巻尺のテープ、２は測定の際にテープ１先端を固定するためのフック、２ａは部材の角部に引っ掛けるための係着部、２ｂはアーム部、２ｃはアーム部２ｂの表裏を貫通する通孔、２ｄはテープ１に固定され且つフック２の通孔２ｃに遊嵌状態で通過するリベットである。１２はフック２の後端に設けられた係着部材、１２ａは係着部（図１９参照）、１２ｂは係着部１２ａの頭部、１３は係着部１２ａと係着（係合）する通孔である。
図１９は、図１８のテープ先端部分の断面拡大図であり、フック２の係着部２ａはテープ１の先端より前方に位置する。
【００３６】
図２０は、図１８のフック固定時のテープ先端部分の上面拡大図であり、本図は、図１８／図１９のフック２を引っ掛けて行う通常測定の状態から、フック２を矢印方向に移動させ、フック２の後端に設けられた係着部材１２の係着部１２ａを通孔１３に係着（嵌合）させた状態である。すなわち、フック２を突き当て測定の位置に固定した状態である。
図２１は、図１８のフック固定時のテープ先端部分の断面拡大図であり、フック２の係着部２ａはテープ１の先端に位置する。
【００３７】
図２２は、他の形態のフック系着構造のテープ先端部分の上面拡大図であり、本図は、フック２を引っ掛けて行う通常測定の状態である。１は巻尺のテープ、２は測定の際にテープ１先端を固定するためのフック、２ａは部材の角部に引っ掛けるための係着部、２ｂはアーム部、２ｃはアーム部２ｂの表裏を貫通する通孔、２ｄはテープ１に固定され且つフック２の通孔２ｃに遊嵌状態で通過するリベット、２ｇは係着部材１４の係着部１４ａが係着（嵌合）するためのアーム部２ｂの表裏を貫通する通孔である。１４は係着部材、１４ａはフック２の通孔２ｇと係着（嵌合）する係着部、１４ｂは係着部１４ａの頭部、１４ｃはテープ１に固定されている係着部材１４の支持部である。
図２３は、図２２のテープ先端部分の断面拡大図であり、フック２の係着部２ａはテープ１の先端より前方に位置する。
【００３８】
図２４は、図２２のフック固定時のテープ先端部分の上面拡大図であり、本図は、図２２／図２３のフック２を引っ掛けて行う通常測定の状態から、フック２を矢印方向に移動させ、フック２の後端に設けられた通孔２ｇに係着部材１４の係着部１４ａを係着（嵌合）させた状態である。すなわち、フック２を突き当て測定の位置に固定した状態である。
図２５は、図２２のフック固定時のテープ先端部分の断面拡大図であり、フック２の係着部２ａはテープ１の先端に位置する。
【００３９】
図２６から図２８は、他の形態の係着部材を示すテープ先端部分の上面拡大図であり、図２６は、フック２の後端に設けられた係着部材１２の係着部１２ａを下方に備える頭部１２ｂがテープ１に有する通孔１３から変位して位置するもので、係着部材１２の係着部１２ａをテープ１に有する通孔１３に係着（嵌合）させる際は、人が強制的に係着部材１２の係着部１２ａを通孔１３に係着させるものである。すなわち、フック２が突き当て測定の位置に移動した場合でも、係着部材１２の係着部１２ａが通孔１３に接触することによる移動抵抗の影響が生じないようにしたものである。図２７は、係着部材１２を上方に曲げてその係着部１２ａがテープ１に有する通孔１３に接触しないようにしたものである。
【００４０】
図２８は、係着部材１４がテープ１に設けられている形態のもので、係着部材１４を上方に曲げて、係着部１４ａがフック２のアーム部２ｂに有する通孔２ｇに接触しないようにしたものである。また、本図は、テープ１にも通孔１３ａを形成し、係着部１４ａが通孔２ｇに係着（嵌合）した際に係着部１４ａが通孔１３ａにも係着できるようにしたもので、より確実な係着をさせるようにしたものである。
【００４１】
図２９は、他の形態の係着部を示す拡大図であり、通孔１３と係着した係着部材１２の係着部１２ａの係着（嵌合）を確実に維持できるようにする形態の一例である。すなわち、係着部１２ａの端部に膨状部１２ｃを形成したものである。
（ａ）図は、係着部１２ａと通孔１３が係着する前の状態で、（ｂ）図は、係着部１２ａと通孔１３が係着した状態であり、膨状部１２ｃが通孔１３の開口縁より周囲に突出する。
【００４２】
図３０は、図１８のフック固定時のテープ先端部分の断面拡大図であり、（ａ）図は、フック２を矢印方向に移動させて、フック２の後端に設けられた係着部材１２の係着部１２ａを通孔１３に係着（嵌合）させた状態である。また、７はフック２の係着部２ａに設けられたマグネットである。（ｂ）図は、マグネット７の磁力によってフック２の係着部２ａが金属部材８に磁着した状態を示す。
【００４３】
図３１は、他の形態のフック系着構造のテープ先端部分の断面拡大図であり、本図は、フック２を引っ掛けて行う通常測定の状態である。１は巻尺のテープ、２は測定の際にテープ１先端を固定するためのフック、２ａは部材の角部に引っ掛けるための係着部、２ｂはアーム部、２ｃはアーム部２ｂの表裏を貫通する通孔、２ｄはテープ１に固定され且つフック２の通孔２ｃに遊嵌状態で通過するリベットである。１５はフック２の後端に設けられた係着部材、１５ａはかぎ部（係着部）、１６は係着部材、１６ａはかぎ部１５ａと係着（係合）する係着部である。また、本図で示す係着部材１５は弾性材料から形成されており、係着部材１６に係着する際は、係着部材１５を強制的に引き伸ばしてそのかぎ部１５ａを係着部材１６の係着部１６ａに引っ掛けるものである。
図３２は、図３１のフック固定時のテープ先端部分の断面拡大図であり、フック２の係着部２ａはテープ１の先端より前方に位置する。
【００４４】
図３３は、他の形態のフック系着構造のテープ先端部分の断面拡大であり、本図は、フック２を引っ掛けて行う通常測定の状態である。１は巻尺のテープ、２は測定の際にテープ１先端を固定するためのフック、２ａは部材の角部に引っ掛けるための係着部、２ｂはアーム部、２ｃはアーム部２ｂの表裏を貫通する通孔、２ｄはテープ１に固定され且つフック２の通孔２ｃに遊嵌状態で通過するリベット、２ｈは係着部材１７のかぎ部１７ａが係着（嵌合）するためのアーム部２ｂの後端に設けられた係着部である。１７は係着部材、１７ａはフック２の係着部２ｈと係着（嵌合）するかぎ部、１７ｂはテープ１に固定されている係着部材１７の支持部である。また、本図で示す係着部材１７は弾性材料から形成されており、フック２の係着部２ｈに係着する際は、係着部材１７を強制的に引き伸ばしてそのかぎ部１７ａを係着部２ｈに引っ掛けるものである。
図３４は、図３３のフック固定時のテープ先端部分の断面拡大図であり、フック２の係着部２ａはテープ１の先端より前方に位置する。
【００４５】
図３５は、巻尺の使用状態の比較を示す図であり、本図は、本考案に係わる巻尺と従来の巻尺の測定状態を比較した図で、また、フック２にはマグネット７が設けられており、フックが金属部材８に磁着する形態のものである。（ａ）図は、本考案に係わる巻尺１０による測定状態で、テープ１は、金属部材８と巻尺１０間で直線的に張られる。すなわち、磁着の状態ではテープ１の０点がずれることがないのである。（ｂ）図は、従来の巻尺による測定状態で、テープ１１ａは、金属部材８と巻尺１１間で変形することがある。すなわち、磁着の状態であっても、フック１１ｂの進退機構によってテープ１１ａを巻尺１１方向に引っ張ることができてしまうので、常にテープ１１ａをフック１１ｂ方向（金属部材８方向）に押していなければならず、従って、押す力が大きくなるとテープ１１ａが撓み（変形）また、撓みをなくすとテープ１１ａが引っ張られる状態になってしまうからである。
【図面の簡単な説明】
【００４６】
【図１】本考案に係わる巻尺のテープ先端部分の上面拡大図
【図２】図１のテープ先端部分の断面拡大図
【図３】図１のフック固定時のテープ先端部分の上面拡大図
【図４】他の形態のフック系着構造のテープ先端部分の上面拡大図
【図５】図４のテープ先端部分の断面拡大図
【図６】図４のフック固定時のテープ先端部分の上面拡大図
【図７】他の形態のフック系着構造のテープ先端部分の上面拡大図
【図８】図７のテープ先端部分の断面拡大図
【図９】図７のフック固定時のテープ先端部分の上面拡大図
【図１０】他の形態のピンを示す拡大図
【図１１】他の形態のピンを示す拡大図
【図１２】マグネットを設けたフックのテープ先端部分の断面拡大図
【図１３】フックの正面図
【図１４】図１２のフック固定時のテープ先端部分の断面拡大図
【図１５】他の形態のマグネットを設けたフックを示す正面図
【図１６】フックのリセット構造の一例を示すテープ先端部分の上面拡大図
【図１７】フックのリセット動作を示す図
【図１８】他の形態のフック系着構造のテープ先端部分の上面拡大図
【図１９】図１８のテープ先端部分の断面拡大図
【図２０】図１８のフック固定時のテープ先端部分の上面拡大図
【図２１】図１８のフック固定時のテープ先端部分の断面拡大図
【図２２】他の形態のフック系着構造のテープ先端部分の上面拡大図
【図２３】図２２のテープ先端部分の断面拡大図
【図２４】図２２のフック固定時のテープ先端部分の上面拡大図
【図２５】図２２のフック固定時のテープ先端部分の断面拡大図
【図２６】他の形態の係着部材を示すテープ先端部分の上面拡大図
【図２７】他の形態の係着部材を示すテープ先端部分の断面拡大図
【図２８】他の形態の係着部材を示すテープ先端部分の断面拡大図
【図２９】他の形態の係着部を示す拡大図
【図３０】図１８のフック固定時のテープ先端部分の断面拡大図
【図３１】他の形態のフック系着構造のテープ先端部分の断面拡大図
【図３２】図３１のフック固定時のテープ先端部分の断面拡大図
【図３３】他の形態のフック系着構造のテープ先端部分の断面拡大
【図３４】図３３のフック固定時のテープ先端部分の断面拡大図
【図３５】巻尺の使用状態の比較を示す図
【符号の説明】
【００４７】
１−テープ，２−フック，２ａ−係着部，２ｂ−アーム部，２ｃ−通孔，２ｄ−リベット，２ｅ−係着端部，２ｆ−接触端部，２ｇ−通孔，２ｈ−係着部，３−係着部材，３ａ−係着部，４−ピン，４ａ−鍔状頭部、４ｂ−膨状頭部、５−ピン，６−係着部材，６ａ−係着部，６ｂ−リベット，７−マグネット，７ａ−マグネット，７ｂ−マグネット，８−金属部材，９−リセット部材，９ａ−支持部材，１０−巻尺，１１−巻尺，１１ａ−テープ，１１ｂ−フック，１１ｃ−マグネット，１２−係着部材，１２ａ−係着部，１２ｂ−頭部，１２ｃ−膨状部，１３−通孔，１３ａ−通孔，１４−係着部材，１４ａ−係着部，１４ｂ−頭部，１４ｃ−支持部，１５−係着部材，１５ａ−かぎ部，１６−係着部材，１６ａ−係着部，１７−係着部材，１７ａ−かぎ部，１７ｂ−支持部
【図１】
0003115155.tif 000003
【図２】
0003115155.tif 000004
【図３】
0003115155.tif 000005
【図４】
0003115155.tif 000006
【図５】
0003115155.tif 000007
【図６】
0003115155.tif 000008
【図７】
0003115155.tif 000009
【図８】
0003115155.tif 000010
【図９】
0003115155.tif 000011
【図１０】
0003115155.tif 000012
【図１１】
0003115155.tif 000013
【図１２】
0003115155.tif 000014
【図１３】
0003115155.tif 000015
【図１４】
0003115155.tif 000016
【図１５】
0003115155.tif 000017
【図１６】
0003115155.tif 000018
【図１７】
0003115155.tif 000019
【図１８】
0003115155.tif 000020
【図１９】
0003115155.tif 000021
【図２０】
0003115155.tif 000022
【図２１】
0003115155.tif 000023
【図２２】
0003115155.tif 000024
【図２３】
0003115155.tif 000025
【図２４】
0003115155.tif 000026
【図２５】
0003115155.tif 000027
【図２６】
0003115155.tif 000028
【図２７】
0003115155.tif 000029
【図２８】
0003115155.tif 000030
【図２９】
0003115155.tif 000031
【図３０】
0003115155.tif 000032
【図３１】
0003115155.tif 000033
【図３２】
0003115155.tif 000034
【図３３】
0003115155.tif 000035
【図３４】
0003115155.tif 000036
【図３５】
0003115155.tif 000037